(57)【特許請求の範囲】
【請求項１】
着用者の前後方向に対応する縦方向に長い形状の吸収性コアを備え、着用者の液排泄部に対向配置される排泄部対向部、該排泄部対向部より前方に配される前方部、及び該排泄部対向部より後方に配される後方部を有する吸収性物品であって、
前記吸収性コアは、前記排泄部対向部における縦方向に直交する横方向の中央部に中高領域を有し、
前記中高領域は、吸収性コアにおける該中高領域の周辺領域の厚みよりも厚みが厚く、且つ該周辺領域の坪量よりも坪量が高く形成されており、
前記吸収性コアは、前記周辺領域に、該周辺領域よりも相対的に厚みが薄く、坪量が前記周辺領域よりも低い溝部を有し、
前記溝部は、前記中高領域を囲んで該中高領域及び前記周辺領域を分割する中高全周溝部と、該中高全周溝部における前記中高領域の縦方向に沿う両側部それぞれに対応する部分から前記吸収性コアの外縁部に向かって延びる側方溝部とを有しており、
前記中高全周溝部の溝幅は、前記側方溝部の溝幅よりも広い、吸収性物品。
【請求項２】
前記側方溝部は、前記中高全周溝部における前記中高領域の縦方向に沿う側部に対応する部分から、縦方向に間隔を空けて複数配されており、各該側方溝部は斜めに延びている請求項１に記載の吸収性物品。
【請求項３】
前記側方溝部は、縦方向に等間隔を空けて複数配されている請求項１又は２に記載の吸収性物品。
【請求項４】
前記吸収性コアを平面視して、前記中高領域の縦方向の中心を通る横方向に延びる仮想横線を境として、該仮想横線よりも前方部側においては、前記側方溝部は、前記吸収性コアの縦方向に沿う側部の前方部側に向かって斜めに延びている請求項１〜３の何れか１項に記載の吸収性物品。
【請求項５】
前記吸収性コアを平面視して、前記仮想横線よりも後方部側においては、前記側方溝部は、前記吸収性コアの縦方向に沿う側部の後方部側に向かって斜めに延びている請求項４に記載の吸収性物品。
【請求項６】
前記吸収性コアを平面視して、前記仮想横線よりも後方部側においては、前記側方溝部は、前記中高全周溝部における前記中高領域の縦方向に沿う側部に対応する部分から、縦方向に間隔を空けて、前記吸収性コアの縦方向に沿う側部の後方部側に向かって斜めに延びており、各該側方溝部と縦方向に延びる二等分線とのなす角度が、後方部側に行くにしたがって漸次小さくなっている請求項４に記載の吸収性物品。
【発明の詳細な説明】
【技術分野】
【０００１】
本発明は、生理用ナプキン等の吸収性物品に関する。
【背景技術】
【０００２】
従来、就寝時に使用する夜用の生理用ナプキンのように、着用者の前後方向に沿う縦方向の長さが長い吸収性物品においては、着用者の肌との隙間があると、就寝姿勢において、液が肌の表面を伝って流れてしまい、液漏れにつながる場合があった。
【０００３】
そのため、本出願人は、吸収性物品の吸収体に部分的に厚みの厚い中高部を形成し、肌対向面に隆起部を形成させることによって、身体に対するフィット性を高めた吸収性物品を提案した（例えば特許文献１）。
【０００４】
また、本出願人は、折り曲げの基点となる溝状に窪んだ凹部を吸収性コアに形成して、身体に対するフィット性を高めた吸収性物品用の吸収体を提案した（例えば特許文献２）。  
【０００５】
また、例えば、特許文献３には、吸収性物品の吸収体に部分的に厚みの厚い中高部を配し、吸収体の前側部分、吸収体の後側部分、及び吸収体の両側部分それぞれに、湾曲したエンボス部を複数設けた吸収性物品が記載されている。
【先行技術文献】
【特許文献】
【０００６】
【特許文献１】特開２０１５−９７７１６号公報
【特許文献２】特開２０１２−１４３５３５号公報
【特許文献３】特開２００８−０７３４４９号公報
【発明の概要】
【発明が解決しようとする課題】
【０００７】
特許文献１に記載の吸収性物品では、就寝姿勢における両脚からの幅方向内側に向けた圧縮力によって、隆起部した中高部が折れ曲がる場合があり、やはり液漏れにつながる場合があり、更なる改良の余地があった。
【０００８】
また、特許文献２に記載の吸収性物品用の吸収体には、部分的に厚みの厚い中高部が配されていないので、就寝姿勢における両脚からの幅方向内側に向けた圧縮力によって吸収体が折れ曲がり易く、液漏れを防止することが難しく、更なる改良の余地があった。
【０００９】
また、特許文献３に記載の吸収性物品は、高圧搾して形成された密度差の無いエンボスであるため、吸収体が折れ曲がる際の起点となり難く、就寝姿勢における両脚からの幅方向内側に向けた圧縮力によって吸収体が折れ曲がり易く、液漏れを防止することができない。
【００１０】
したがって本発明の課題は、前述した従来技術が有する欠点を解消し得る吸収性物品を提供することにある。
【課題を解決するための手段】
【００１１】
本発明は、着用者の前後方向に対応する縦方向に長い形状の吸収性コアを備え、着用者の液排泄部に対向配置される排泄部対向部、該排泄部対向部より前方に配される前方部、及び該排泄部対向部より後方に配される後方部を有する吸収性物品であって、前記吸収性コアは、前記排泄部対向部における縦方向に直交する横方向の中央部に中高領域を有し、前記中高領域は、吸収性コアにおける該中高領域の周辺領域の厚みよりも厚みが厚く、且つ該周辺領域の坪量よりも坪量が高く形成されており、前記吸収性コアは、前記周辺領域に、該周辺領域よりも相対的に厚みが薄く、坪量が前記周辺領域よりも低い溝部を有し、前記溝部は、前記中高領域を囲んで該中高領域及び前記周辺領域を分割する中高全周溝部と、該中高全周溝部における前記中高領域の縦方向に沿う両側部それぞれに対応する部分から前記吸収性コアの外縁部に向かって延びる側方溝部とを有している吸収性物品を提供するものである。
【発明の効果】
【００１２】
本発明によれば、就寝姿勢における両脚からの幅方向内側に向けた圧縮力によって、隆起部した中高部が折れ曲がり難く、身体に対するフィット性が維持でき、液漏れが発生し難い。
【図面の簡単な説明】
【００１３】
【図１】図１は、本発明の吸収性物品の好ましい第１実施形態である生理用ナプキンの着用状態を示す斜視図である。
【図２】図２は、図１に示す生理用ナプキンの肌対向面側（表面シート側）を示す平面図である。
【図３】図３は、図２のＩＩＩ−ＩＩＩ線断面を模式的に示す断面図である。
【図４】図４は、図１に示す生理用ナプキンの備える吸収性コアにおける肌対向面側の平面図である。
【図５】図５（ａ）ないし図５（ｂ）は、図１に示す生理用ナプキンの備える吸収性コアの製造工程を説明する説明図である。
【図６】図６は、本発明の吸収性物品の備える別の実施形態の吸収性コアにおける肌対向面側の平面図である（図４相当図）。
【図７】図７は、本発明の吸収性物品の備える更に別の実施形態の吸収性コアにおける肌対向面側の平面図である（図４相当図）。
【図８】図８は、本発明の吸収性物品の備える別の実施形態の吸収性コアにおける肌対向面側の平面図である（図４相当図）。
【図９】図９は、本発明の吸収性物品の備えるまた別の実施形態の吸収性コアにおける肌対向面側の平面図である（図４相当図）。
【図１０】図１０は、本発明の吸収性物品の別の実施形態である生理用ナプキンの肌対向面側（表面シート側）を示す平面図である。
【発明を実施するための形態】
【００１４】
以下本発明を、その好ましい実施形態に基づき図面を参照しながら説明する。  本発明の吸収性物品の実施形態としての生理用ナプキン１（以下、単にナプキン１ともいう）は、特に就寝時の使用に適した夜用のナプキンである。ナプキン１は全長が３０ｃｍ以上のものが好適である。ナプキン１は、着用者の前後方向に対応する縦方向Ｘに長い形状の吸収性コア４１を備え、着用者の液排泄部に対向配置される排泄部対向部Ｂ、該排泄部対向部Ｂより前方に配される前方部Ａ、及び該排泄部対向部Ｂより後方に配される後方部Ｃを有している。
【００１５】
本明細書において、縦方向Ｘは、吸収性物品（ナプキン１）の長手方向に一致し、縦方向Ｘに直交する横方向Ｙは、吸収性物品（ナプキン１）の幅方向（長手方向に直交する方向）に一致している。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材における、吸収性物品（ナプキン１）の着用時に着用者の肌側に向けられる面であり、非肌対向面は、吸収性物品（ナプキン１）又はその構成部材における、吸収性物品（ナプキン１）の着用時に肌側とは反対側（着衣側）に向けられる面である。
【００１６】
ナプキン１は、着用時に着用者の液排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。即ち、ナプキン１は、縦方向Ｘに、前方部Ａ、排泄部対向部Ｂ及び後方部Ｃの順番で区分される。
【００１７】
尚、本発明の吸収性物品において、排泄部対向部Ｂとは、本実施形態のナプキン１のようにウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。また、排泄部対向部Ｂとは、吸収性物品がウイング部を有する場合（例えば図１０参照）には、吸収性物品の縦方向Ｘにおいてウイング部を有する領域（一方のウイング部の縦方向Ｘに沿う付け根と他方のウイング部の縦方向Ｘに沿う付け根とに挟まれた領域）を意味する。
【００１８】
本実施形態のナプキン１は、図１及び図２に示すように、肌対向面を形成する液透過性の表面シート２、非肌対向面を形成する裏面シート３、及びこれら両シート２，３間に介在された吸収体４を具備している。
【００１９】
ナプキン１では、表面シート２は、図２及び図３に示すように、吸収体４の肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。一方、裏面シート３は、吸収体４の非肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。表面シート２と裏面シート３とは、吸収体４の全周縁からの延出部において、接着剤、ヒートシール、超音波シール等の公知の接合手段によって互いに接合されている。尚、表面シート２の肌対向面には、縦方向Ｘに沿う左右両側部に一対のサイドシート或いは一対以上の防漏カフを配置することができる。
【００２０】
ナプキン１では、吸収体４は、図３に示すように、吸水性ポリマーを有する吸収性コア４１と、該吸収性コア４１を包むコアラップシート４２とから構成されている。吸収性コア４１は、パルプ繊維等の繊維材料からなる繊維集合体に吸水性ポリマーを保持させたものからなる。吸収性コア４１は、上下両面を、ティッシュペーパーや透水性の不織布からなるコアラップシート４２によって被覆されている。コアラップシート４２は、吸収性コア４１の形成材料の漏れ出しを防止したり、吸収性コア４１の保形性を高めたりする目的で使用される。吸収性コア４１の肌対向面側を被覆するコアラップシート４２と表面シート２との間、及び吸収性コア４１の非肌対向面側を被覆するコアラップシート４２と裏面シート３との間は、ドット、スパイラル、ストライプ等のパターン塗工された接着剤により互いに接合されていることが好ましい。
【００２１】
ナプキン１では、吸収性コア４１は、図２〜図４に示すように、排泄部対向部Ｂにおける横方向Ｙの中央部に中高領域４３を有している。ナプキン１では、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２２】
ナプキン１では、中高領域４３は、図３及び図４に示すように、吸収性コア４１における該中高領域４３の周辺領域４４の厚みよりも厚みが厚く、且つ周辺領域４４の坪量よりも坪量が高く形成されている。ナプキン１では、図４に示すように吸収性コア４１を平面視して、中高領域４３は、横方向Ｙの中央部に配され、排泄部対向部Ｂの全域に亘って帯状に配されている。
【００２３】
また、ナプキン１では、周辺領域４４は、中高領域４３を取り囲む、環状の領域であり、前方部Ａから後方部Ｃに亘って配されている。中高領域４３の厚み及び坪量と比較する吸収性コア４１の周辺領域４４の厚み及び坪量は、吸収性コア４１の周辺領域４４における後述する溝部４５が存在しない部分における厚み及び坪量を意味する。
【００２４】
ナプキン１では、中高領域４３の厚みは、ナプキン１Ａの肌対向面に、肌に向かって突出する隆起部１１（図１参照）を形成して排泄部対向部Ｂにおける液の吸収性等を向上させる観点から、吸収性コア４１の周辺領域４４の厚みの、好ましくは１２０％以上、より好ましくは１５０％以上であり、そして、好ましくは１０００％以下、より好ましくは５００％以下であり、具体的には、好ましくは１２０％以上１０００％以下、より好ましくは１５０％以上５００％以下である。また、中高領域４３の厚みと吸収性コア４１の周辺領域４４の厚みとの厚みの差（前者−後者）は、好ましくは１．０ｍｍ以上、より好ましくは２．０ｍｍ以上であり、そして、好ましくは１０．０ｍｍ以下、より好ましくは５．０ｍｍ以下であり、具体的には、好ましくは１．０ｍｍ以上１０．０ｍｍ以下、より好ましくは２．０ｍｍ以上５．０ｍｍ以下である。中高領域４３の厚みが厚すぎると、装着時の装着感が低下する。尚、吸収性コア４１の各部における厚みは、非荷重下における吸収性物品の切断端面の写真から計測する。
【００２５】
ナプキン１では、中高領域４３の坪量は、ナプキン１の肌対向面に、肌に向かって突出する隆起部１１（図１参照）を形成して排泄部対向部Ｂにおける液の吸収性等を向上させる観点から、吸収性コア４１の周辺領域４４の坪量（後述する、前方周辺領域４４Ａの坪量、後方周辺領域４４Ｃの坪量及び側方周辺領域４４Ｓの坪量の平均坪量）の、好ましくは１２０％以上、より好ましくは１３０％以上であり、そして、好ましくは５００％以下、より好ましくは４００％以下であり、具体的には、好ましくは１２０％以上５００％以下、より好ましくは１３０％以上４００％以下である。また、中高領域４３の坪量と吸収性コア４１の周辺領域４４の坪量との坪量の差（前者−後者）は、好ましくは５０ｇ／ｍ２以上、より好ましくは１００ｇ／ｍ２以上であり、そして、好ましくは８００ｇ／ｍ２以下、より好ましくは６００ｇ／ｍ２以下であり、具体的には、好ましくは５０ｇ／ｍ２以上８００ｇ／ｍ２以下、より好ましくは１００ｇ／ｍ２以上６００ｇ／ｍ２以下である。尚、中高領域４３の坪量は、後述する中高溝部４３１が存在しない部分を切り出したサンプルの質量を、そのサンプルの肌対向面側の面の面積で除して求める。周辺領域４４の坪量の坪量は、後述する溝部４５が存在しない部分を切り出したサンプルの質量を、そのサンプルの肌対向面側の面の面積で除して求める。
【００２６】
ナプキン１では、吸収性コア４１は、図３及び図４に示すように、周辺領域４４に、周辺領域４４よりも相対的に厚みが薄く、坪量が周辺領域４４よりも低い溝部４５を肌対向面に有している。溝部４５の厚みは、ナプキン１の肌対向面に、肌に向かって突出する隆起部１１（図１参照）を形成して排泄部対向部Ｂにおける液の吸収性等を向上させる観点から、吸収性コア４１の周辺領域４４の厚みの、好ましくは１０％以上、より好ましくは２０％以上であり、そして、好ましくは９０％以下、より好ましくは８０％以下であり、具体的には、好ましくは１０％以上９０％以下、より好ましくは２０％以上８０％以下である。また、吸収性コア４１の周辺領域４４の厚みと溝部４５の厚みとの厚みの差（前者−後者）は、好ましくは１．０ｍｍ以上、より好ましくは１．５ｍｍ以上であり、そして、好ましくは８．０ｍｍ以下、より好ましくは７．０ｍｍ以下であり、具体的には、好ましくは１．０ｍｍ以上８．０ｍｍ以下、より好ましくは１．５ｍｍ以上７．０ｍｍ以下である。尚、吸収性コア４１の溝部４５における厚みは、非荷重下における吸収性物品の切断端面の写真から計測する。
【００２７】
ナプキン１では、溝部４５の坪量は、ナプキン１の肌対向面に、肌に向かって突出する隆起部１１（図１参照）を形成して排泄部対向部Ｂにおける液の吸収性等を向上させる観点から、吸収性コア４１の周辺領域４４の坪量の、好ましくは５％以上、より好ましくは１０％以上であり、そして、好ましくは９０％以下、より好ましくは８０％以下であり、具体的には、好ましくは５％以上９０％以下、より好ましくは１０％以上８０％以下である。また、吸収性コア４１の周辺領域４４の坪量と溝部４５の坪量との坪量の差（前者−後者）は、好ましくは１０ｇ／ｍ２以上、より好ましくは３０ｇ／ｍ２以上であり、そして、好ましくは８００ｇ／ｍ２以下、より好ましくは６００ｇ／ｍ２以下であり、具体的には、好ましくは１０ｇ／ｍ２以上８００ｇ／ｍ２以下、より好ましくは３０ｇ／ｍ２以上６００ｇ／ｍ２以下である。尚、溝部４５の坪量は、該溝部４５の部分を切り出したサンプルの質量を、そのサンプルの肌対向面側の面の面積で除して求める。
【００２８】
ナプキン１では、溝部４５は、図４に示すように、中高領域４３を囲んで中高領域４３及び周辺領域４４を分割する中高全周溝部４５１と、中高全周溝部４５１における中高領域４３の縦方向Ｘに沿う両側部それぞれに対応する部分から吸収性コア４１の外縁部に向かって延びる側方溝部４５２とを有している。このように、ナプキン１Ａでは、溝部４５は、中高全周溝部４５１及び一対の側方溝部４５２，４５２を有している。一対の側方溝部４５２，４５２は、縦方向Ｘに延びる中心線ＣＬに対して左右対称形となっている。従って、以下の説明では、左右対称な部分については、主に、一方の側方溝部４５２のみについて説明する。
【００２９】
ナプキン１では、側方溝部４５２は、図４に示すように、中高全周溝部４５１における中高領域４３の縦方向Ｘに沿う側部に対応する部分から、縦方向Ｘに間隔を空けて斜めに延びており、特にナプキン１では、縦方向Ｘに等間隔を空けて配されている。本実施形態では、側方溝部４５２は、中高全周溝部４５１における中高領域４３の縦方向Ｘに沿う側部に対応する部分から、縦方向Ｘに間隔を空けて複数配されており、各側方溝部４５２は斜めに延びている。
【００３０】
好適にナプキン１では、側方溝部４５２は、図４に示すように吸収性コア４１を平面視して、中高領域４３の縦方向Ｘの中心Ｇを通る横方向Ｙに延びる仮想横線ＩＬを境として、仮想横線ＩＬよりも前方部Ａ側においては、吸収性コア４１の縦方向Ｘに沿う側部４１Ｓの前方部Ａ側に向かって斜めに延びている。ナプキン１では、側方溝部４５２は、仮想横線ＩＬよりも前方部Ａ側のみならず、仮想横線ＩＬよりも後方部Ｃ側においても、吸収性コア４１の縦方向Ｘに沿う側部４１Ｓの前方部Ａ側に向かって斜めに延びている。そして、各側方溝部４５２は、中高全周溝部４５１における中高領域４３の縦方向Ｘに沿う側部に対応する部分から側部４１Ｓの側縁にまで至っている。更に好適に、ナプキン１では、前方部Ａ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が延びている。側方溝部４５２の延びる方向と縦方向Ｘに延びる中心線ＣＬとのなす角α（図４参照）は、１０°以上８０°以下であることが好ましく、２０°以上７０°以下であることが更に好ましい。
【００３１】
溝部４５の溝幅は、中高全周溝部４５１の溝幅及び側方溝部４５２の溝幅が均等に形成されていてもよいが、ナプキン１では、排泄部対向部Ｂにて肌に向かって突出する隆起部１１（図１参照）を形成し易くする観点から、中高全周溝部４５１の溝幅が、側方溝部４５２の溝幅よりも広く形成されている。中高全周溝部４５１の溝幅は、同様の観点から、側方溝部４５２の溝幅の、好ましくは１００％超、より好ましくは１１０％以上であり、そして、好ましくは３００％以下、より好ましくは２００％以下であり、具体的には、好ましくは１００％超３００％以下、より好ましくは１１０％以上２００％以下である。好適に、中高全周溝部４５１の溝幅は、好ましくは０．８ｍｍ以上、より好ましくは１．０ｍｍ以上であり、そして、好ましくは６．０ｍｍ以下、より好ましくは４．０ｍｍ以下であり、具体的には、好ましくは０．８ｍｍ以上６．０ｍｍ以下、より好ましくは１．０ｍｍ以上４．０ｍｍ以下である。側方溝部４５２の溝幅は、好ましくは０．８ｍｍ以上、より好ましくは１．０ｍｍ以上であり、そして、好ましくは５．０ｍｍ以下、より好ましくは３．０ｍｍ以下であり、具体的には、好ましくは０．８ｍｍ以上５．０ｍｍ以下、より好ましくは１．０ｍｍ以上３．０ｍｍ以下である。尚、溝部４５の溝幅は、溝部４５の延びる方向に直交する方向に切断し、切端面の写真から計測する。
【００３２】
ナプキン１では、中高領域４３、周辺領域４４及び溝部４５を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００３３】
上述したナプキン１の吸収性コア４１は、図５（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００３４】
また、図５（ａ）に示すように、１個の集積用凹部５５の底面５６の一部には、中高領域４３を形成するための1つの凹部５６ｂが形成されている。また、凹部５６ｂの周辺領域の底面５６には、溝部４５を形成するための難通気性部材５７が配置されている。難通気性部材５７は、中高全周溝部４５１及び一対の側方溝部４５２，４５２に対応する位置に配され、集積用凹部５５の底面５６から突出するように固定されている。難通気性部材５７は、非通気性部材であっても良く、例えば金属やプラスチック、セラミック等からなる。
【００３５】
積繊ドラムを備えた公知の積繊装置と同様に、集積用凹部５５の底面から吸引しつつ、ダクト内に、吸水性ポリマーとパルプ繊維とを混合したコア材料を供給することによって、図５（ｂ）に示すように、コア材料が集積用凹部５５内に所定形状に堆積する。その堆積物４０を、集積用凹部５５から離型することで、吸収性コア４１が得られる。吸収性コア４１は、コアラップシート４２で被覆する前又は被覆した後に、一対のロール間に通すこと等により加圧し適度に圧縮させる。これにより、凹部５６ｂに堆積した部分が、坪量及び密度が相対的に大きい中高領域４３となる。同様に、凹部５６ｂの周辺領域に堆積したコア材料からなる部分が、坪量及び密度が相対的に小さい周辺領域４４となり、凹部５６ｂの周辺領域の難通気性部材５７上に堆積したコア材料からなる部分が、周辺領域４４よりも坪量及び密度が相対的に小さい溝部４５となる。
【００３６】
上述した第１実施形態のナプキン１の各構成部材の形成材料について説明する。
表面シート２及び裏面シート３としては、生理用ナプキン等の吸収性物品に従来使用されている各種のもの等を特に制限なく用いることができる。例えば、表面シート２としては、親水化処理が施された各種不織布や開孔フィルム等の液透過性のシートを用いることができる。また、裏面シート３としては、熱可塑性樹脂のフィルムや、該フィルムと不織布とのラミネート等の液透過性ないし撥水性のシートを用いることができる。裏面シート３は水蒸気透過性を有していてもよい。また、コアラップシート４２としては、湿式抄造法により製造した薄葉紙（ティッシュペーパー）や液透過性の不織布等を用いることができる。
【００３７】
上述した第１実施形態のナプキン１の作用効果について説明する。
ナプキン１は、図２〜図４に示すように、吸収性コア４１に、周辺領域４４よりも厚みが厚く且つ坪量が高い中高領域４３を有している。そして、周辺領域４４よりも坪量が低い溝部４５が、中高領域４３及び周辺領域４４を分割する中高全周溝部４５１を有し、中高全周溝部４５１における中高領域４３の縦方向Ｘに沿う側部に対応する部分から外方に向かって延びる一対の側方溝部４５２，４５２を有している。その為、図１に示すように、ナプキン１の着用中に側方溝部４５２，４５２が変形することで、中高領域４３が肌に向かって隆起して、排泄部対向部Ｂにて肌に向かって突出する隆起部１１が形成され易く、就寝姿勢における両脚からの幅方向内側に向けた圧縮力によって、隆起部した中高領域４３が折れ曲がり難くなっている。このように、ナプキン１の着用中に隆起部１１によって身体に対するフィット性が維持でき、液漏れが発生し難い。さらに、側方溝部４５２，４５２が変形することで、中高領域４３の側部４１Ｓの領域全体が大腿部等の身体の形状に沿った形にフィットする形状に変形しやすくなり、液漏れが発生し難く、装着時の違和感も低減できる。
【００３８】
また、ナプキン１は、図２〜図４に示すように、側方溝部４５２が、中高全周溝部４５１における中高領域４３の縦方向Ｘに沿う側部に対応する部分から、縦方向Ｘに間隔を空けて斜めに延びている。その為、図１に示すように、ナプキン１の着用中に、中高領域４３が肌に向かって隆起して、排泄部対向部Ｂにて肌に向かって突出する隆起部１１が更に形成され易くなっている。特にナプキン１では、側方溝部４５２が縦方向Ｘに等間隔を空けて配されているので、図１に示すように、ナプキン１の着用中に隆起部１１が更に形成され易くなっている。
【００３９】
また、ナプキン１は、図１〜図３に示すように、側方溝部４５２が、仮想横線ＩＬよりも前方部Ａ側のみならず、仮想横線ＩＬよりも後方部Ｃ側においても、吸収性コア４１の縦方向Ｘに沿う側部４１Ｓの前方部Ａ側に向かって斜めに延びている。そして、各側方溝部４５２が、中高全周溝部４５１における中高領域４３の縦方向Ｘに沿う側部に対応する部分から側部４１Ｓの側縁にまで至っている。その為、図１に示すように、ナプキン１の着用中に、中高領域４３が肌に向かって隆起して、排泄部対向部Ｂにて肌に向かって突出する隆起部１１が更に形成され易くなっている。さらに、側方溝部４５２が、排泄部対向部Ｂの縦方向Ｘ全域に亘って側部４１Ｓが変形し易くなることで、より身体に対するフィット性が維持される。
【００４０】
以上、本発明をその好ましい実施形態に基づき説明したが、本発明の吸収性物品は本実施形態のナプキン１に何ら制限されるものではなく、適宜変更可能である。
【００４１】
例えば、本発明の吸収性物品は、ナプキン１の備える図４に示す吸収性コア４１以外に、図６〜図９に示す吸収性コア４１を備えていてもよい。図６〜図９に示す吸収性コア４１については、図４に示す吸収性コア４１と異なる点について主として説明し、同様の点については同一の符号を付して説明を省略する。特に言及しない点については、図４に示す吸収性コア４１に関する説明が適宜適用される。
【００４２】
図６に示す吸収性コア４１においては、側方溝部４５２は、中高領域４３の縦方向Ｘの中心Ｇを通る横方向Ｙに延びる仮想横線ＩＬを境として、仮想横線ＩＬよりも前方部Ａ側では、吸収性コア４１の縦方向Ｘに沿う側部４１Ｓの後方部Ｃ側に向かって斜めに延びている。そして、図６に示す吸収性コア４１においては、側方溝部４５２は、仮想横線ＩＬよりも前方部Ａ側のみならず、仮想横線ＩＬよりも後方部Ｃ側においても、吸収性コア４１の縦方向Ｘに沿う側部４１Ｓの後方部Ｃ側に向かって斜めに延びている。そして、各側方溝部４５２は、中高全周溝部４５１における中高領域４３の縦方向Ｘに沿う側部に対応する部分から側部４１Ｓの側縁にまで至っている。更に好適に、図６に示す吸収性コア４１においては、後方部Ｃ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が延びている。側方溝部４５２の延びる方向と縦方向Ｘに延びる中心線ＣＬとのなす角β（図６参照）は、１０°以上８０°以下であることが好ましく、２０°以上７０°以下であることが更に好ましい。
【００４３】
図５に示す吸収性コア４１を備えるナプキン１においても、図１に示すように、ナプキン１の着用中に、中高領域４３が肌に向かって隆起して、排泄部対向部Ｂにて肌に向かって突出する隆起部１１が形成され易くなっている。さらに、側方溝部４５２が、排泄部対向部Ｂから、後方部Ｃ部に亘り斜めに延びていることで、側部４１Ｓが変形し易くなり、より身体に対するフィット性が維持される。
【００４４】
次に、図７に示す吸収性コア４１においては、側方溝部４５２は、中高領域４３の縦方向Ｘの中心Ｇを通る横方向Ｙに延びる仮想横線ＩＬを境として、仮想横線ＩＬよりも前方部Ａ側では、吸収性コア４１の縦方向Ｘに沿う側部４１Ｓの前方部Ａ側に向かって斜めに延びている。そして、図７に示す吸収性コア４１においては、側方溝部４５２は、仮想横線ＩＬよりも後方部Ｃ側では、吸収性コア４１の縦方向Ｘに沿う側部４１Ｓの後方部Ｃ側に向かって斜めに延びている。そして、各側方溝部４５２は、中高全周溝部４５１における中高領域４３の縦方向Ｘに沿う側部に対応する部分から側部４１Ｓの側縁にまで至っている。更に好適に、図７に示す吸収性コア４１においては、仮想横線ＩＬよりも前方部Ａ側では、前方部Ａ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が前方部Ａ側に延びている。また、仮想横線ＩＬよりも後方部Ｃ側では、後方部Ｃ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が後方部Ｃ側に延びている。
【００４５】
図７に示す吸収性コア４１を備えるナプキン１においても、図１に示すように、ナプキン１の着用中に、中高領域４３が肌に向かって隆起して、排泄部対向部Ｂにて肌に向かって突出する隆起部１１が形成され易くなっている。さらに、側方溝部４５２が、仮想横線ＩＬの前方部Ａ側では、排泄部対向部Ｂから前方部Ａ部に亘って斜めに延び、後方部Ｃ側では、排泄部対向部Ｂから後方部Ｃ部に亘り斜めに延びていることで、側部４１Ｓが、装着時の大腿部の形状に沿った形にフィットする形状に変形し易くなり、よりフィット性が維持され、液漏れが発生し難く、装着時の大腿部内側部の違和感も低減できる。
【００４６】
次に、図８に示す吸収性コア４１においては、側方溝部４５２は、中高領域４３の縦方向Ｘの中心Ｇを通る横方向Ｙに延びる仮想横線ＩＬを境として、仮想横線ＩＬよりも前方部Ａ側では、吸収性コア４１の縦方向Ｘに沿う側部４１Ｓの後方部Ｃ側に向かって斜めに延びている。そして、図８に示す吸収性コア４１においては、側方溝部４５２は、仮想横線ＩＬよりも後方部Ｃ側では、吸収性コア４１の縦方向Ｘに沿う側部４１Ｓの前方部Ａ側に向かって斜めに延びている。そして、各側方溝部４５２は、中高全周溝部４５１における中高領域４３の縦方向Ｘに沿う側部に対応する部分から側部４１Ｓの側縁にまで至っている。更に好適に、図８に示す吸収性コア４１においては、仮想横線ＩＬよりも前方部Ａ側では、後方部Ｃ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が後方部Ｃ側に延びている。また、仮想横線ＩＬよりも後方部Ｃ側では、前方部Ａ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が前方部Ａ側に延びている。
【００４７】
図８に示す吸収性コア４１を備えるナプキン１においても、図１に示すように、ナプキン１の着用中に、中高領域４３が肌に向かって隆起して、排泄部対向部Ｂにて肌に向かって突出する隆起部１１が形成され易くなっている。
【００４８】
次に、図９に示す吸収性コア４１においては、側方溝部４５２は、中高領域４３の縦方向Ｘの中心Ｇを通る横方向Ｙに延びる仮想横線ＩＬを境として、仮想横線ＩＬよりも前方部Ａ側では、吸収性コア４１の縦方向Ｘに沿う側部４１Ｓの前方部Ａ側に向かって斜めに延びている。仮想横線ＩＬよりも前方部Ａ側では、前方部Ａ側に向かって斜めに延びる複数の側方溝部４５２が縦方向Ｘに等間隔を空けて配されており、縦方向Ｘに隣り合う側方溝部４５２，４５２どうしが平行になるように、側方溝部４５２が前方部Ａ側に延びている。そして、図９に示す吸収性コア４１においては、側方溝部４５２は、仮想横線ＩＬよりも後方部Ｃ側では、中高全周溝部４５１における中高領域４３の縦方向Ｘに沿う側部に対応する部分から、縦方向Ｘに間隔を空けて、吸収性コア４１の縦方向Ｘに沿う側部４１Ｓの後方部Ｃ側に向かって斜めに延びている。そして、仮想横線ＩＬよりも後方部Ｃ側では、各側方溝部４５２と縦方向Ｘに延びる二等分線ＣＬとのなす角度γが、後方部Ｃ側に行くにしたがって漸次小さくなっている。即ち、仮想横線ＩＬよりも後方部Ｃ側では、側方溝部４５２が、中心Ｇ側から放射線状に外方に延びている。各側方溝部４５２は、中高全周溝部４５１における中高領域４３の縦方向Ｘに沿う側部に対応する部分から側部４１Ｓの側縁にまで至っている。
【００４９】
図９に示す吸収性コア４１を備えるナプキン１においても、図１に示すように、ナプキン１の着用中に、中高領域４３が肌に向かって隆起して、排泄部対向部Ｂにて肌に向かって突出する隆起部１１が形成され易くなっている。さらに、側方溝部４５２が、仮想横線ＩＬの前方部Ａ側では、排泄部対向部Ｂから前方部Ａ部にわたり斜めに延びており、さらに後方部Ｃ側では、排泄部対向部Ｂから後方部Ｃ部に亘り放射線状に外側に延びていることで、側部４１Ｓが、大腿部から臀部に亘る身体の形状に沿った形にフィットする形状に変形し易くなり、吸収性コア４１全体のフィット性が維持され、横方向だけではなく、後方からの液漏れが発生し難く、装着時の違和感も低減できる。
【００５０】
また、ナプキン１は、図２に示すように、排泄部対向部Ｂにのみ中高領域４３を有しているが、中高領域４３に加えて、後方部Ｃにも中高領域を有していてもよい。
また、ナプキン１では、設けられていないが、表面シート２の肌対向面に、表面シート２及び吸収体４が裏面シート３側に向かって一体的に凹陥してなる線状圧搾溝を一対設けてもよい。該線状圧搾溝は、中高全周溝部４５１における中高領域４３の縦方向Ｘに沿う側部に対応する部分に設けられていることが好ましい。該線状圧搾溝は、熱を伴うか又は伴わない圧搾加工（いわゆるエンボス加工）、あるいは超音波エンボス等のエンボス加工により常法に従って形成することができる。
【００５１】
また、ナプキンは、図１０に示すように、サイドフラップ部１Ｓを有する構成であっても良い。図１０に示すナプキン１では、表面シート２は、吸収体４の肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。一方、裏面シート３は、吸収体４の非肌対向面の全域を被覆し、吸収体４の縦方向Ｘの両端縁から縦方向Ｘ外方に延出すると共に、吸収体４の縦方向Ｘに沿う両側縁から横方向Ｙの外方に延出して、後述するサイドシート５と共にサイドフラップ部１Ｓを形成している。裏面シート３とサイドシート５とは、吸収体４の縦方向Ｘに沿う両側縁からの延出部において、接着剤、ヒートシール、超音波シール等の公知の接合手段によって互いに接合されている。尚、表面シート２及び裏面シート３それぞれと吸収体４との間は接着剤によって接合されていてもよい。
【００５２】
図１０に示すナプキン１では、サイドシート５は、図１０に示すように、表面シート２の肌対向面における縦方向Ｘに沿う両側部に配されている。好適には、サイドシート５は、平面視において表面シート２の縦方向Ｘに沿う左右両側部に重なるように、表面シート２の縦方向Ｘの全長に亘って配されている。
【００５３】
図１０に示すナプキン１では、一対のサイドシート５，５は、それぞれ、縦方向Ｘに延在する接合部（不図示）にて表面シート２に接合されている。このように、サイドシート５が、縦方向Ｘに延びる接合部（不図示）にて表面シート２に接合されて固定されると、該接合部（不図示）よりも横方向Ｙの内方に、サイドシート５と表面シート２とで画成される空間部が形成される。この空間部は、中心線ＣＬに向けて開口しているので、横方向Ｙの中央から外方へ流れる経血等の体液が該空間部に収容されるようになり、結果として体液の漏れが効果的に防止できる。
【００５４】
図１０に示すナプキン１では、サイドフラップ部１Ｓは、図１０に示すように、排泄部対向領域Ｂにおいて横方向Ｙの外方に向かって大きく張り出しており、これによりナプキン１の縦方向Ｘに沿う左右両側に、一対のウイング部１Ｗ，１Ｗが延設されている。また、ナプキン１では、サイドフラップ部１Ｓは、後方領域Ｃにおいて横方向Ｙの外方に向かって張り出しており、これによりナプキン１の縦方向Ｘに沿う左右両側に、一対の後方フラップ部１Ｆ，１Ｆが延設されている。ウイング部１Ｗ及び後方フラップ部１Ｆは、ショーツ等の着衣のクロッチ部の非肌対向面側に折り返されて用いられるものである。
【００５５】
図１０に示すナプキン１では、一対のウイング部１Ｗ，１Ｗの間に、吸収体４の中高領域４３が配されるように吸収性コア４１が配されている。図１０に示すように、吸収性コア４１が配されたナプキン１によれば、ナプキン１の着用時にウイング部１Ｗ，１Ｗをショーツ等の着衣のクロッチ部の非肌対向面側に折り曲げてショーツ等の着衣に固定することでショーツ等の着衣とのズレが発生し難くなる。その際、中高領域４３が肌に向かって隆起して、排泄部対向部Ｂにて肌に向かって突出する隆起部１１がより形成され易くなっている。さらに、側方溝部４５２が、排泄部対向部Ｂの縦方向Ｘ全域に亘って側部４１Ｓが変形し易くなることで、ショーツ等の着衣に固定した状態で、身体からの力が加わることによる、中高領域４３などでの意図しない変形の発生が起こり難くなり、より身体に対するフィット性が維持されるとともに、装着時の違和感も低減できるという効果を奏する。
【００５６】
また、本発明の吸収性物品は、生理用ナプキンの他、パンティーライナー（おりものシート）、失禁パッド等であってもよい。
【符号の説明】
【００５７】
１  生理用ナプキン（吸収性物品）
１１  隆起部
２  表面シート
３  裏面シート
４  吸収体
４１  吸収性コア
４２  コアラップシート
４３  中高領域
４４  周辺領域
４５  溝部
４５１  中高全周溝部
４５２  側方溝部
【図１】
0006577854.tif 000002
【図２】
0006577854.tif 000003
【図３】
0006577854.tif 000004
【図４】
0006577854.tif 000005
【図５】
0006577854.tif 000006
【図６】
0006577854.tif 000007
【図７】
0006577854.tif 000008
【図８】
0006577854.tif 000009
【図９】
0006577854.tif 000010
【図１０】
0006577854.tif 000011